(57)【要約】    【課題】    繰出容器の摺動時、特に前進限、後退限における過負荷に対し、安全に対応する棒状化粧材繰出容器を提供する。    【構成】    棒状化粧材繰出容器１は先筒１０と本体筒２０を回動可能脱落不能に組付け、芯チャック部材３０を摺動可能に内挿し、この芯チャック部材３０の先端には棒状化粧材Ａを嵌着する腔部３２を備えたカップ状保持部３１と、このカップ状保持部３１より延設された棒軸３３の表面に配された複数の係合突起３４が先筒１０側では縦に使用し回転止機構を構成するとともに、本体筒２０内の螺旋部２５に螺合して繰出機構が構成され、前進限と後退限に位置する部位の前記係合突起３４が螺旋部２５に薄く螺合してクラッチ回転を可能としている。    【選択図】    図１
2007014604.tif 000002
【特許請求の範囲】
【請求項１】
先筒と本体筒を回動可能脱落不能に組付け、芯チャック部材を内挿し、この芯チャック部材は先端に棒状化粧材を嵌着する保持部を備え、この保持部より延設される棒軸に雄ねじを形成し、本体筒内の螺旋部に螺合するとともに、先筒と軸方向に摺動自在かつ回動不能に係合する回転止め機構により先筒と本体筒の回転操作で棒状化粧材を進退する棒状化粧材繰出容器であって；
芯チャック部材の先端には、棒状化粧材の尾部を嵌着するカップ状保持部としての腔部が穿設され、この保持部外径寸法より小径に形成された下方に延設される棒軸表面には複数の係合突起が突設され、本体筒内の螺旋筒に形成された螺旋部に螺合するとともに、芯チャック部材の前進限及び後退限に位置する前記棒軸の係合突起は、他の係合突起と比べ、前記螺旋部に薄く螺合していることを特徴とする棒状化粧材繰出容器。    
【発明の詳細な説明】
【技術分野】
【０００１】
本発明は口紅等の棒状化粧材を収容する繰出容器に関する。特には、繰出容器の摺動時における安全性に関する。
【背景技術】
【０００２】
特許第３６４４７０５号公報及び特開２０００−２３６９４４号公報は、口紅等の棒状化粧材繰出容器に関する弊社の出願であり、特許第３６４４７０５号公報における化粧材支持皿１７は、押棒２１を延設し、この表面に突起２３を複数配して回転止め機構と螺合機構に利用している。竿体部３３に配された複数の係合突起２４を雄ねじと同様に、しかも縦には回転止めとして使用できるため、難しいねじ加工を必要としないことで、繰出容器を簡単なものとしている。
【特許文献１】特許第３６４４７０５号公報
【特許文献２】特開２０００−２３６９４４号公報
【発明の開示】
【発明が解決しようとする課題】
【０００３】
繰出容器には棒状化粧材を繰り出す前進限と繰り下げる後退限があり、繰出容器が透明でない限り、使用者はかなりの力で前進限後退限を確認する。そのために、前進限後退限でクラッチ回転する機構の容器も数多く発明されているが、本発明では、前記従来例の複数の係合突起の形状を変化させることで、部品点数を増やすことなく前進限後退限を確認しやすい繰出容器を提供することを目的とする。
【課題を解決するための手段】
【０００４】
そのため、本発明の棒状化粧材繰出容器においては、先筒と本体筒を回動可能脱落不能に組付け、芯チャック部材を内挿し、この芯チャック部材は先端に棒状化粧材を嵌着する保持部を備え、この保持部より延設される棒軸に雄ねじを形成し、本体筒内の螺旋部に螺合するとともに、先筒と軸方向に摺動自在かつ回動不能に係合する回転止め機構により先筒と本体筒の回転操作で棒状化粧材を進退する棒状化粧材繰出容器であって；
芯チャック部材の先端には、棒状化粧材の尾部を嵌着するカップ状保持部としての腔部が穿設され、この保持部外径寸法より小径に形成された下方に延設される棒軸表面には複数の係合突起が突設され、本体筒内の螺旋筒に形成された螺旋部に螺合するとともに、芯チャック部材の前進限及び後退限に位置する前記棒軸の係合突起は、他の係合突起と比べ、前記螺旋部に薄く螺合する手段を講じたものである。
【発明を実施するための最良の形態】
【０００５】
以下、本発明を図面にて詳細に説明する。
図１は本発明の棒状化粧材繰出容器１を、キャップ３を容器本体２より離脱し、繰出機構を内蔵する容器本体２を縦一部断面図で示したもので、図２は容器本体２に使用されるそれぞれの部材を個々に示した図である。
【０００６】
容器本体２は、図２に示される（Ａ）芯チャック部材３０、（Ｂ）先筒１０、（Ｃ）本体筒２０より構成され、先筒１０と本体筒２０の回転操作で内挿する棒状化粧材Ａを進退させる。
【０００７】
（Ａ）芯チャック部材３０は、カップ状保持部３１を備え、腔部３２が穿設され，ここに棒状化粧材Ａの尾部が嵌着される。カップ状保持部３１より、このカップ状保持部３１外径より小径な棒軸３３が延設され、この棒軸３３の後端部にベンド片３５が一対設置される。また、棒軸３３の表面には４列に正列され均等間隔で複数突設された係合突起３４が設けられ、この係合突起３４が後述する本体筒２０内の螺旋部２５に螺合して、螺合機構を構成するとともに、先筒１０内の回転止溝１５に係合して、先筒１０側では回転止機構を構成している。
【０００８】
（Ｂ）先筒１０は、外観円筒体を形成し、前部が摘部１７，後部が本体筒嵌入部１８となり、本体筒嵌入部１８には本体筒２０に回動可能脱落不能に嵌合する本体筒嵌合部１６として凸部が突設されている。棒状化粧材Ａが進退する先端開口孔１１側には、前部腔部１２が穿設され、後部腔部１３と貫通孔１４で連絡しており、この貫通孔１４は、芯チャック部材３０の棒軸３３が摺動可能とする設計がなされるとともに、係合突起３４が係合する回転止溝１５が４列設置される。
【０００９】
（Ｃ）本体筒２０は、上部にキャップ３とのキャップ嵌合部２６に、キャップ係合突起２３が設けられ、外筒２１と、この外筒２１の底部で連結される螺旋筒２２の２重構造となっており螺旋筒２２の前部には、前記芯チャック部材３０の棒軸３３表面の係合突起３４と螺合する螺旋部２５が形成される。又、外筒２１の先端内径には、先筒１０を嵌合する嵌合凹部２４が設けられる。
【００１０】
本発明は、芯チャック部材３０の棒軸３３に形成された係合突起３４の中で、芯チャック部材３０の後退限にあたる係合突起３４ａと、前進限にあたる係合突起３４ｂが他の係合突起３４に比べ小径に設計されているため、本体筒２０内の螺旋部２５に螺合したとき、この小径の係合突起３４ａ、３４ｂの部分が薄く、微かな回動でも逆回動されると螺合が解除され、空回転することが本発明の特徴である。
【００１１】
前進限後退限にあたる３４ａ、３４ｂの係合突起は、実施例においては他の係合突起３４より小径としたが、他に幅は他の係合突起３４と同じとし、高さだけ低くしたり、また螺合力を弱めるため、この部分のみ４列を２列にしてもよく、いずれも螺合する力を弱くすることを目的とした方法により、クラッチ回転を可能としたもので、本発明では薄く螺合するという表現を使用している。又、棒軸３３表面の係合突起３４は、先筒１０の貫通孔１４に形成された回転止溝１５に係合して回転止め機構を構成しているため、前進限における係合突起３４ｃは通常の係合突起３４が整列して回転止機構を確実なものとしている。
【００１２】
図１より本発明の棒状化粧材繰出容器１の作動を説明する。
図１に示される容器本体２は、棒状化粧材Ａを収容した後退限位置にある状態を示したもので、芯チャック部材３０の棒軸３３に形成された係合突起３４の内、回転止溝１５に位置する係合突起３４ｃは回転止機構を構成し、又、螺旋部２５に位置する係合突起３４ａは螺合機構を構成するので、先筒１０と本体筒２０の回転操作で棒状化粧材Ａは、先端開口孔１１より進退が行え、化粧を可能とする。
【００１３】
又、芯チャック部材３０の棒軸３３後部のベンド片３５の上端面３５ａが、本体筒２０の螺旋部２５の下端面２５ａに当接した部位が前進限となり、この部位の係合突起３４ｂは、螺旋部２５に薄く螺合しているため、荷負荷の回動力がかかると、棒軸３３と螺旋部２５がこの位置で空回転して前進限を使用者に教える。又、芯チャック部材３０のカップ状保持部３１の下端面３１ａが螺旋部２５の上端面２５ｂに載置した部位が後退限を示し、係合突起３４ａが薄く螺旋部２５に螺合しているが、さらに芯チャック部材３０を下げようとする荷負荷がかかると、棒軸３３が螺旋部２５に対し空回転して後退限を告げる。
【００１４】
本発明は係合突起３４、３４ａ、３４ｂ、３４ｃの形状変化によって、回転止め効果と螺合効果を維持しつつ、さらに繰出容器の安全性を求めた発明である。
【図面の簡単な説明】
【００１５】
【図１】本発明の棒状化粧材繰出容器１を、キャップ３を容器本体２より離脱し、繰出機構を内臓する容器本体２を縦一部断面図で示した図である。
【図２】容器本体２に使用されるそれぞれの部材を示した図である。（Ａ）は芯チャック部材３０を示し、（Ｂ）は先筒１０を示し、（Ｃ）は本体筒２０を示す。
【符号の説明】
【００１６】
Ａ・・・・棒状化粧材
１・・・・棒状化粧材繰出容器
２・・・・容器本体
３・・・・キャップ
３ａ・・・凹部
１０・・・先筒
１１・・・先端開口孔
１２・・・前部腔部
１２ａ・・段部
１３・・・後部腔部
１４・・・貫通孔
１５・・・回転止溝
１６・・・本体筒嵌合部
１７・・・摘部
１８・・・本体筒嵌入部
２０・・・本体筒
２１・・・外筒
２２・・・螺旋筒
２３・・・キャップ係合突起
２４・・・嵌合凹部
２５・・・螺旋部
２５ａ・・下端面
２５ｂ・・上端面
２６・・・キャップ嵌合部
３０・・・芯チャック部材
３１・・・カップ状保持部
３１ａ・・下端面
３２・・・腔部
３３・・・棒軸
３４・・・係合突起
３４ａ・・係合突起
３４ｂ・・係合突起
３４ｃ・・係合突起
３５・・・ベンド片
３５ａ・・上端面
【図１】
2007014604.tif 000003
【図２】
2007014604.tif 000004